(57)【特許請求の範囲】
【請求項１】
積み紙の上面後部に設けられた基準位置検出用の検知ヘッドと、カムの回転により作動して前記検知ヘッドを積み紙の上面後部に対向する下降位置と上記上面から上側後方に離反した上昇位置との間で往復動させるレバー機構と、そのレバー機構を支持する昇降可能なスライドブロックと、上昇動される積み紙の上面によって下降位置の検知ヘッドが基準位置まで持ち上げられたとき作動して積み紙の昇降駆動装置を停止させる紙面高さ検出センサとから成り、前記スライドブロックに定位置で回転可能な高さ調整ねじをねじ係合した給紙装置における紙面検知ヘッドの高さ調整装置。
【発明の詳細な説明】
【０００１】
【発明の属する技術分野】
この発明は、枚葉印刷機の給紙装置における紙面検知ヘッドの高さ調整装置に関するものである。
【０００２】
【従来の技術】
昇降テーブル上に載置された積み紙を上部から一枚ずつ前方の印刷部に向けて送り出すようにした枚葉印刷機の給紙装置として、図５に示すように、昇降動される第１吸い口Ｃ1 により積み紙Ｓ0 の最上位の枚葉紙Ｓ1 を吸着して持上げ、その持上げられた枚葉紙Ｓ1 を紙の送り方向に往復動される第２吸い口Ｃ2 で吸着して前方に送り出すようにしたものが知られている。
【０００３】
上記のような給紙装置においては、上部からの枚葉紙Ｓ1 の送り出しによって積み紙Ｓ0 の上面が基準位置Ｐより下がり、ある限度以上下がると、送り出しができなくなる。このため、給紙装置においては、積み紙Ｓ0 の上面が基準位置Ｐからある限度以上下がると、積み紙Ｓ0 を上面が基準位置Ｐに一致する位置まで上昇させて、第１吸い口Ｃ1 および第２吸い口Ｃ2 による送り出しが常時確実に行なわれるようにしている。
【０００４】
その場合、上昇動された積み紙Ｓ0 の紙面高さを検出する必要がある。積み紙Ｓ0 の紙面高さを検出する検出方法として、持ち上げられた枚葉紙Ｓ1 の下面に沿ってエアを送風する送風ノズルを検知ヘッドとし、その検知ヘッドを積み紙の上面後部に乗る下降位置とその上面から上側後方に離反する上昇位置との間で往復動自在とし、第１吸い口Ｃ1 による枚葉紙Ｓ1 の持ち上げ直後に検知ヘッドを下降位置まで下降させ、上昇動される積み紙Ｓ0 によって検知ヘッドが基準位置まで持上げられたとき、検出センサを作動させるようにしたものが知られている。
【０００５】
上記の紙面高さの検出方法においては、紙面高さ検出センサが作動すると、積み紙Ｓ0 を昇降動させる昇降駆動装置を停止させて、積み紙Ｓ0 の上面を所定の基準位置に保持するようにしている。
【０００６】
給紙装置によって給紙される枚葉紙は、ロッド替えによって厚みが変化する場合がある。このとき、積み紙Ｓ0 の上面の基準位置Ｐが常に一定であると、薄い枚葉紙Ｓ1 の場合に第１吸い口Ｃ1 は複数の枚葉紙Ｓ1 を吸着する場合がある。
【０００７】
このため、給紙装置においては、枚葉紙Ｓ1 の厚みに応じて積み紙Ｓ0 の上面の基準位置を調整するようにしている。例えば、厚みの薄い枚葉紙Ｓ1 の場合は、基準位置Ｐを下げ、一方、厚みの厚み枚葉紙Ｓ1 の場合には基準位置Ｐを上げるようにしている。この場合、その基準位置Ｐの変更に応じて、紙面高さ検出する検出装置の検知ヘッドの位置を調整する必要がある。
【０００８】
【発明が解決しようとする課題】
ところで、検知ヘッドの高さ調整に際し、従来は、下降位置と上昇位置との間で往復動する検知ヘッドの作動状態において、その検知ヘッドと共に移動する調整ねじを回動して検知ヘッドの位置を調整するようにしているため、調整操作がきわめて困難であって調整に非常に手間がかかり、また、きわめて危険であった。
【０００９】
この発明の課題は、積み紙の上面の基準位置を検出する検知ヘッドの高さ調整を簡単に安全に行なうことができるようにした給紙装置における紙面検知ヘッドの高さ調整装置を提供することである。
【００１０】
【課題を解決するための手段】
上記の課題を解決するために、この発明においては、積み紙の上面後部に設けられた基準位置検出用の検知ヘッドと、カムの回転により作動して前記検知ヘッドを積み紙の上面後部に対向する下降位置と上記上面から上側後方に離反した上昇位置との間で往復動させるレバー機構と、そのレバー機構を支持する昇降可能なスライドブロックと、上昇動される積み紙の上面によって下降位置の検知ヘッドが基準位置まで持ち上げられたとき作動して積み紙の昇降駆動装置を停止させる紙面高さ検出センサとから成り、前記スライドブロックに定位置で回転可能な高さ調整ねじをねじ係合した構成を採用したのである。
【００１１】
上記のように構成すれば、高さ調整ねじを回転するとスライドブロックが上下動し、そのスライドブロックの移動によって検知ヘッドを往復動させるレバー機構も共に上下動するため、検知ヘッドをきわめて簡単に位置調整することができると共に、高さ調整ねじは定位置にて回転自在に支持されているため、検知ヘッドを安全に位置調整することができる。
【００１２】
【発明の実施の形態】
以下、この発明の実施の形態を図面に基づいて説明する。図１に示すように、枚葉紙Ｓ1 を積み重ねた積み紙Ｓ0 は、昇降動される第１吸い口Ｃ1 と、枚葉紙Ｓ1 の送り方向に往復動する第２吸い口Ｃ2 とによって上部から一枚ずつ前方の印刷部に向けて送り出される。その送り出しによって積み紙Ｓ0 の上面が基準位置からある限度まで下がると、図示省略した昇降駆動装置が作動して積み紙Ｓ0 を上昇させるようになっている。
【００１３】
積み紙Ｓ0 の上側には、板状の検知ヘッド１と、その検知ヘッド１を支持するレバー機構１０とが設けられている。レバー機構１０はスライドブロック２０に支持され、そのスライドブロック２０は左右一対のスライドガイド２１によって昇降自在に支持されている。
【００１４】
レバー機構１０は、スライドブロック２０に一端部が回動自在に連結された第１レバー１１と、その第１レバー１１の下方に配置されてスライドブロック２０に一端部が回動自在に連結された第２レバー１２と、前記第１レバー１１の他端部に上部が回動自在に連結され、かつ中央部が第２レバー１２の他端部に回動自在に連結されたＬ形の第３レバー１３とから成っている。
【００１５】
第３レバー１３の下端部には突出部１４が設けられ、その突出部１４に検知ヘッド１に設けられたロッド２の上部が支持されている。
【００１６】
レバー機構１０は、スライドブロック２０の一側方に設けられたカム３０の回転により作動され、検知ヘッド１を積み紙Ｓ0 の上面後部に対応する下降位置と、上記上面から上側後方に離反する上昇位置との間で往復動させるようになっている。ここで、検知ヘッド１の下降位置は積み紙Ｓ0 の上面の基準位置Ｐより少し下方とされている。
【００１７】
カム３０の回転によってレバー機構２０を作動させるため、カム３０とスライドブロック２０との間に設けられたカムレバー３１の中途をピン３２によって揺動自在に支持し、そのカムレバー３１の揺動中心より下方に設けられたカムフォロワ３３が、カム３０の外周と接触する方向にカムレバー３１をスプリング３４で偏向し、そのカムレバー３１の下端部と、第２レバー１２の一端部から下向きに連設された屈曲片部１２ａとをリンク３５で連結している。
【００１８】
図２および図３に示すように、スライドブロック２０の一側面には平面Ｌ形のセンサホルダ４０の一端部が連結され、そのセンサホルダ４０の他端に設けられた支持片４１に、近接スイッチから成る紙面高さ検出センサ４２が支持されている。一方、レバー機構１０における第３レバー１３の上部には、磁性体から成る検出片４３が取付けられている。検出片４３は検知ヘッド１の下面が積み紙Ｓ0 の基準位置Ｐに一致する状態で、図３の鎖線で示すように、紙面高さ検出センサ４２と正対する。このとき、紙面高さ検出センサ４２はＯＮとなり、積み紙Ｓ0 を昇降させる昇降駆動装置を停止させるようになっている。また、検出片４３は検知ヘッド１の下面が基準位置Ｐより下方の下降位置まで移動したとき所定角度傾斜する。このとき、上記紙面高さ検出センサ４２はＯＦＦになり、前記昇降駆動装置を始動させるようになっている。
【００１９】
図４に示すように、スライドブロック２０の上面にはねじ孔２２が設けられ、そのねじ孔２２に高さ調整ねじ２３がねじ係合されている。高さ調整ねじ２３は定位置において回転自在の支持とされている。
【００２０】
実施の形態で示す給紙装置は上記の構造から成り、カム３０の回転によって下降位置と上昇位置との間で往復動される検知ヘッド１は、第１吸い口Ｃ1 が下降する行程において上昇位置に向けて移動される。前記第１吸い口Ｃ1 が積み紙Ｓ0 の最上位の枚葉紙Ｓ1 を吸着して引き上げると、検知ヘッド１は直ちに下降位置に向けて移動され、引き上げられた枚葉紙Ｓ1 が第２吸い口Ｃ2 によって前方に送られ、第１吸い口Ｃ1 が再度下降するまでの間、下降位置に保持される。
【００２１】
検知ヘッド１は、下降位置において積み紙Ｓ0 の上面で支持される。そのとき、検出片４３は紙面高さ検出センサ４２と対向し、積み紙Ｓ0 の上面がほぼ基準位置にあるとき、検出片４３は紙面高さ検出センサ４２と正対し、紙面高さ検出センサ４２はＯＮの状態とされ、積み紙Ｓ0 を昇降させる昇降駆動装置は停止状態のままとされる。
【００２２】
積み紙Ｓ0 の枚葉紙Ｓ1 が上部から順に取り出されることにより、積み紙Ｓ0 の上面は基準位置Ｐより下がり、その上面の降下につれて、検知ヘッド１の下降位置も下がるため、紙面高さ検出センサ４２に対する検出片４３の傾きも大きくなる。検知ヘッド１が最下降位置まで下がると検出片４３の傾斜は最大となり、そのとき、紙面高さ検出センサ４２がＯＦＦとなり、積み紙Ｓ0 は昇降駆動装置の作動により上昇される。その上昇により検知ヘッド１が押し上げられる。検知ヘッド１が基準位置まで上昇すると、検出片４３が紙面高さ検出センサ４２と正対する。このとき、紙面高さ検出センサ４２がＯＮとなり、積み紙Ｓ0 を上昇させる昇降駆動装置が停止する。このため、積み紙Ｓ0 の上面は基準位置Ｐに保持される。
【００２３】
ロット替えが生じ、枚葉紙Ｓ1 の厚みが変化すると、検知ヘッド１を高さ調整して積み紙Ｓ0 の上面の基準位置Ｐを調整する。
【００２４】
検知ヘッド１の高さ調整に際しては、図１に示す高さ調整ねじ２３を回転し、その高さ調整ねじ２３にねじ係合されたスライドブロック２０を昇降動させる。スライドブロック２０を昇降動させると、そのスライドブロック２０にレバー機構１０が支持されているため、検知ヘッド１も昇降することになり、検知ヘッド１を高さ調整することができる。
【００２５】
このように、高さ調整ねじ２３を回転させる簡単な操作によって検知ヘッド１の高さを調整することができると共に、高さ調整ねじ２３は定位置において回転自在であるため、給紙装置の運転状態において検知ヘッド１を安全に高さ調整することができる。
【００２６】
【発明の効果】
以上のように、この発明においては、検知ヘッドを積み紙の上面に載置する下降位置と上記上面から上側後方に離反する上昇位置との間で往復動させるレバー機構を昇降自在に支持されたスライドブロックで支持し、そのスライドブロックに高さ調整ねじをねじ係合したので、高さ調整ねじを回転させる簡単な操作によって検知ヘッドの高さを調整することができると共に、安全に高さ調整することができる。
【図面の簡単な説明】
【図１】この発明に係る紙面検知ヘッドの高さ調整装置の実施形態を示す正面図
【図２】図１のII−II線に沿った断面図
【図３】図２のIII −III 線に沿った断面図
【図４】図２のIV−IV線に沿った断面図
【図５】給紙装置の概略図
【符号の説明】
Ｓ0   積み紙
１０  レバー機構
２０  スライドブロック
２３  高さ調整ねじ
３０  カム
４２  紙面高さ検出センサ
【図１】
0003946022.tif 000002
【図２】
0003946022.tif 000003
【図３】
0003946022.tif 000004
【図４】
0003946022.tif 000005
【図５】
0003946022.tif 000006